(57)【要約】      （修正有）【課題】人の毛髪と遺伝子情報などを保存する回路を収納する収納部を設けて、何時でも遺伝子情報や他の情報を取り出せると共に、保存した毛髪により遺伝子情報を再確認できる腕輪を提供する。【解決手段】複数個の腕輪部材２とヒンジ３を交互に連結した腕輪１において、腕輪部材２にカバー付の収納部５を形成し、この収納部５を形成した任意の腕輪部材２を毛髪収納部１４とし、この毛髪収納部以外の他の収納部５を形成した腕輪部材２に、バッテリー２３、パソコン入出力端子１７、データ送受信装置２０、演算加工制御部装置１８、記憶部１９をそれぞれ別個にまたは複数個まとめて収納してケーブルで接続し、個人の毛髪とデータを保存するようにしたものである。【選択図】図１
0003191967.tif 000002
【実用新案登録請求の範囲】
【請求項１】
複数個の腕輪部材とヒンジを交互に連結した腕輪において、前記腕輪部材にカバー付きの収納部を形成し、この収納部を形成した任意の腕輪部材を毛髪収納部とし、収納部を形成した他の腕輪部材に、バッテリーと、パソコン入出力端子またはデータ送受信装置、演算加工制御部装置および記憶部を収納してケーブルで接続し、個人の毛髪とデータを保存するようにしたことを特徴とする腕輪。
【請求項２】
請求項１の腕輪に、更に腕輪部材の収納部に音声端子を収納して、これを演算加工制御部装置に接続したことを特徴とする腕輪。
【請求項３】
請求項１の腕輪に、更にバッテリーに接続するバッテリー充電端子を設けたことを特徴とする腕輪。
【考案の詳細な説明】
【技術分野】
【０００１】
本考案は、人の毛髪と遺伝子情報などを保存する腕輪に関するものである。
【背景技術】
【０００２】
近年、遺伝子情報が個人の特定や親子関係の特定に利用されるようになってきた。個人が生きている間には口腔内の粘膜や毛髪から容易に遺伝子情報が得られるが、これらの情報は一般に書面に記載され、必要とする時まで保管されている。
【０００３】
しかしながら、外出先で遺伝子情報などの情報が必要になった場合などに直ぐに取り出せず、また故人になった時に、書面に記載された遺伝子情報が本当に本人のものであるか再確認できない問題があった。
【考案の概要】
【考案が解決しようとする課題】
【０００４】
本考案は上記問題を改善し、人の毛髪と遺伝子情報などを保存する回路を収納する収納部を設けて、何時でも遺伝子情報や他の情報を取り出せると共に、再確認できる腕輪を提供するものである。
【課題を解決するための手段】
【０００５】
本考案の請求項１記載の腕輪は、複数個の腕輪部材とヒンジを交互に連結した腕輪において、前記腕輪部材にカバー付きの収納部を形成し、この収納部を形成した任意の腕輪部材を毛髪収納部とし、収納部を形成した他の腕輪部材に、バッテリーと、パソコン入出力端子またはデータ送受信装置、演算加工制御部装置および記憶部を収納してケーブルで接続し、個人の毛髪とデータを保存するようにしたことを特徴とするものである。
【０００６】
本考案の請求項２記載の腕輪は、請求項１の腕輪に、更に腕輪部材の収納部に音声端子を収納して、これを演算加工制御部装置に接続したことを特徴とするものである。
【０００７】
本考案の請求項３記載の腕輪は、請求項１の腕輪に、更にバッテリーに接続するバッテリー充電端子を設けたことを特徴とするものである。
【考案の効果】
【０００８】
本考案に係る請求項１記載の腕輪によれば、装着者が外出時に腕輪を手首に装着して、外出先で事故にあって怪我をした時などに、記憶部に保存してある装着者の氏名や住所、経歴、血液型、病歴などの情報を取り出して的確、迅速に対応することができる。また装着者が死亡した後に、親子関係などの確認のために遺伝子情報を取り出せると共に、毛髪が保存されているので、正確な遺伝子情報の再確認を行なうことができる。
【０００９】
また請求項２記載の腕輪によれば、音声端子のマイクロホンジャックにマイクを接続して音声を演算加工制御部装置に送り音声信号として記憶部に記憶させることができると共に、記録された音声を聞く時には、スピーカージャックにケーブルを介してパソコンに接続し、内蔵のスピーカーで聞くことができる。
【００１０】
また請求項３記載の腕輪によれば、バッテリーにバッテリー充電端子を設けたので電力が低下した時に充電することができる。
【考案を実施するための最良の形態】
【００１１】
以下本考案の実施の一形態を図１ないし図３を参照して詳細に説明する。図において１は腕輪を示すもので、これは複数個の腕輪部材２と十字状のヒンジ３を交互に連結して構成されている。腕輪部材２は図２に示すように外形がエ字形状に形成され、内部に上部側が開口した収納部５が形成され、この上部開口部にカバー６がねじ７で着脱自在に取付けられている。
【００１２】
またエ字形状に形成された腕輪部材２の左右両側の溝部９に挿入される十字状のヒンジ３の左右両側部は軸１０で回動自在に連結されている。また腕輪部材２の収納部５の両側と、ヒンジ３の中間部には横方向に連続するケーブル挿通孔１１が開孔されて、ここにケーブル１２が通してある。
【００１３】
これら腕輪部材２の内の１個の腕輪部材２の収納部５を毛髪収納部１４とし、ここに毛髪１５を収納するようになっている。また他の腕輪部材２の収納部５に図２に示すようにはパソコン入出力端子１７、演算加工制御部装置１８、記憶部１９、データ送受信装置２０、アンテナ２１、音声端子２２、バッテリー２３、バッテリー充電端子２４、スイッチ２５が収納され、これらはケーブル挿通孔１１に開孔したケーブル１２を介して接続されている。
【００１４】
これら各構成素子は図３に示すように回路構成されている。演算加工制御部装置１８は、記憶部１９に接続され、これらはスイッチ２５を介してバッテリー２３に接続され、更にここにバッテリー充電端子２４が接続されている。また演算加工制御部装置１８にはデータ送受信装置２０が接続され、このデータ送受信装置２０もスイッチ２５を介して前記バッテリー２３に接続されている。またパソコン入出力端子１７と音声端子２２もそれぞれ演算加工制御部装置１８に接続されている。
【００１５】
上記構成の腕輪は、予め装着者が口腔内の粘膜や毛髪１５から遺伝子解析して、その情報をパソコン３０に入力しておく。また腕輪１の毛髪収納部１４のカバー６を開けて毛髪１５を短く切って入れ、再びカバー６を被せてねじ７で固定する。次にスイッチ２５を入れてパソコン３０に保存されている遺伝子情報を、無線でアンテナ２１を通してデータ送受信装置２０に送るか、またはパソコン入出力端子１７にケーブルを接続して送る。データ送受信装置２０またはパソコン入出力端子１７に送られた遺伝子情報は演算加工制御部装置１８で処理されて記憶部１９に保存される。この場合、遺伝子情報の他に、装着者の経歴、血液型、病歴などを保存しても良い。
【００１６】
また音声端子２２のマイクロホンジャック２８に図示しないマイクを接続して音声を演算加工制御部装置１８に送り音声信号として記憶部１９に記憶させておいても良い。記録された音声を聞く時には、スピーカージャック２７にケーブルを介してパソコン３０に接続し、内蔵のスピーカーで聞くことができる。またバッテリー２３の電力が低下した時には、バッテリー充電端子２４から充電することができる。  
【００１７】
従って、装着者が外出時に腕輪１を手首に装着して、外出先で事故にあって怪我をした時などに、記憶部１９に保存してある装着者の氏名や住所、経歴、血液型、病歴などを取り出して的確、迅速に対応することができる。また装着者が死亡した後に、親子関係などの確認のために遺伝子情報を取り出せると共に、毛髪１５が保存されているので、正確な遺伝子情報の再確認を行なうことができる。
【００１８】
なお上記説明では各素子をそれぞれ別個の収納部５に挿着した場合について示したが、小型のものは複数個まとめて１個の収納部５に収納しても良い。この場合、素子を収納しない腕輪部材２には収納部５がなくても良い。また上記説明ではパソコン入出力端子１７とデータ送受信装置２０の両方を設けた場合について説明したが何れか一方でも良い。またバッテリーは充電式に限らずボタン電池を用いても良いまた腕輪部材２とヒンジ３は他の形状のものでも良い。
【図面の簡単な説明】
【００１９】
【図１】本考案の実施の一形態による腕輪の斜視図である。
【図２】図１の腕輪の要部を拡大して示す断面図である。
【図３】腕輪内部の回路構成を示す回路図である。
【符号の説明】
【００２０】
１    腕輪                                                  
２    腕輪部材                                              
３    ヒンジ                                                
５    収納部                                                
６    カバー                                                
７    ねじ                                                  
８    留め金                                                
９    溝部                                                  
１０  軸                                                    
１１  ケーブル挿通孔                                        
１２  ケーブル                                              
１４  毛髪収納部                                            
１５  毛髪                                                  
１７  パソコン入出力端子                                    
１８  演算加工制御部装置                                    
１９  記憶部                                                
２０  データ送受信装置                                      
２１  アンテナ                                              
２２  音声端子                                              
２３  バッテリー          
２４  バッテリー充電端子  
２５  スイッチ            
２７  スピーカージャック  
２８  マイクロホンジャック  
３０  パソコン      
【図１】
0003191967.tif 000003
【図２】
0003191967.tif 000004
【図３】
0003191967.tif 000005
【手続補正書】
【提出日】平成26年5月15日(2014.5.15)
【手続補正１】
【補正対象書類名】明細書
【補正対象項目名】全文
【補正方法】変更
【補正の内容】
【考案の詳細な説明】
【技術分野】
【０００１】
本考案は、人の毛髪と遺伝子情報などを保存する腕輪に関するものである。
【背景技術】
【０００２】
近年、遺伝子情報が個人の特定や親子関係の特定に利用されるようになってきた。個人が生きている間には口腔内の粘膜や毛髪から容易に遺伝子情報が得られるが、これらの情報は一般に書面に記載され、必要とする時まで保管されている。
【０００３】
しかしながら、外出先で遺伝子情報などの情報が必要になった場合などに直ぐに取り出せず、また故人になった時に、書面に記載された遺伝子情報が本当に本人のものであるか再確認できない問題があった。
【考案の概要】
【考案が解決しようとする課題】
【０００４】
本考案は上記問題を改善し、人の毛髪と遺伝子情報などを保存する回路を収納する収納部を設けて、何時でも遺伝子情報や他の情報を取り出せると共に、再確認できる腕輪を提供するものである。
【課題を解決するための手段】
【０００５】
本考案の請求項１記載の腕輪は、複数個の腕輪部材とヒンジを交互に連結した腕輪において、前記腕輪部材にカバー付きの収納部を形成し、この収納部を形成した任意の腕輪部材を毛髪収納部とし、この毛髪収納部以外の他の収納部を形成した腕輪部材に、バッテリーと、パソコン入出力端子またはデータ送受信装置、演算加工制御部装置および記憶部を、それぞれ別個にまたは複数個まとめて収納してケーブルで接続し、個人の毛髪とデータを保存するようにしたことを特徴とするものである。
【０００６】
本考案の請求項２記載の腕輪は、請求項１の腕輪に、更に腕輪部材の収納部に音声端子を収納して、これを演算加工制御部装置に接続したことを特徴とするものである。
【０００７】
本考案の請求項３記載の腕輪は、請求項１の腕輪に、更に腕輪部材の収納部に、バッテリーに接続するバッテリー充電端子を設けたことを特徴とするものである。
【考案の効果】
【０００８】
本考案に係る請求項１記載の腕輪によれば、装着者が外出時に腕輪を手首に装着して、外出先で事故にあって怪我をした時などに、記憶部に保存してある装着者の氏名や住所、経歴、血液型、病歴などの情報を取り出して的確、迅速に対応することができる。また装着者が死亡した後に、親子関係などの確認のために遺伝子情報を取り出せると共に、毛髪が保存されているので、正確な遺伝子情報の再確認を行なうことができる。
【０００９】
また請求項２記載の腕輪によれば、音声端子のマイクロホンジャックにマイクを接続して音声を演算加工制御部装置に送り音声信号として記憶部に記憶させることができると共に、記録された音声を聞く時には、スピーカージャックにケーブルを介してパソコンに接続し、内蔵のスピーカーで聞くことができる。
【００１０】
また請求項３記載の腕輪によれば、バッテリーにバッテリー充電端子を設けたので電力が低下した時に充電することができる。
【考案を実施するための最良の形態】
【００１１】
以下本考案の実施の一形態を図１ないし図３を参照して詳細に説明する。図において１は腕輪を示すもので、これは複数個の腕輪部材２と十字状のヒンジ３を交互に連結して構成されている。腕輪部材２は図２に示すように外形がエ字形状に形成され、内部に上部側が開口した収納部５が形成され、この上部開口部にカバー６がねじ７で着脱自在に取付けられている。
【００１２】
またエ字形状に形成された腕輪部材２の左右両側の溝部９に挿入される十字状のヒンジ３の左右両側部は軸１０で回動自在に連結されている。また腕輪部材２の収納部５の両側と、ヒンジ３の中間部には横方向に連続するケーブル挿通孔１１が開孔されて、ここにケーブル１２が通してある。
【００１３】
これら腕輪部材２の内の１個の腕輪部材２の収納部５を毛髪収納部１４とし、ここに毛髪１５を収納するようになっている。また他の腕輪部材２の収納部５に図１に示すようにパソコン入出力端子１７、演算加工制御部装置１８、記憶部１９、データ送受信装置２０、アンテナ２１、音声端子２２、バッテリー２３、バッテリー充電端子２４、スイッチ２５がそれぞれ別個に収納され、これらはケーブル挿通孔１１に開孔したケーブル１２を介して接続されている。
【００１４】
これら各構成素子は図３に示すように回路構成されている。演算加工制御部装置１８は、記憶部１９に接続され、これらはスイッチ２５を介してバッテリー２３に接続され、更にここにバッテリー充電端子２４が接続されている。また演算加工制御部装置１８にはデータ送受信装置２０が接続され、このデータ送受信装置２０もスイッチ２５を介して前記バッテリー２３に接続されている。またパソコン入出力端子１７と音声端子２２もそれぞれ演算加工制御部装置１８に接続されている。
【００１５】
上記構成の腕輪は、予め装着者が口腔内の粘膜や毛髪１５から遺伝子解析して、その情報をパソコン３０に入力しておく。また腕輪１の毛髪収納部１４のカバー６を開けて毛髪１５を短く切って入れ、再びカバー６を被せてねじ７で固定する。次にスイッチ２５を入れてパソコン３０に保存されている遺伝子情報を、無線でアンテナ２１を通してデータ送受信装置２０に送るか、またはパソコン入出力端子１７にケーブルを接続して送る。データ送受信装置２０またはパソコン入出力端子１７に送られた遺伝子情報は演算加工制御部装置１８で処理されて記憶部１９に保存される。この場合、遺伝子情報の他に、装着者の経歴、血液型、病歴などを保存しても良い。
【００１６】
また音声端子２２のマイクロホンジャック２８に図示しないマイクを接続して音声を演算加工制御部装置１８に送り音声信号として記憶部１９に記憶させておいても良い。記録された音声を聞く時には、スピーカージャック２７にケーブルを介してパソコン３０に接続し、内蔵のスピーカーで聞くことができる。またバッテリー２３の電力が低下した時には、バッテリー充電端子２４から充電することができる。  
【００１７】
従って、装着者が外出時に腕輪１を手首に装着して、外出先で事故にあって怪我をした時などに、記憶部１９に保存してある装着者の氏名や住所、経歴、血液型、病歴などを取り出して的確、迅速に対応することができる。また装着者が死亡した後に、親子関係などの確認のために遺伝子情報を取り出せると共に、毛髪１５が保存されているので、正確な遺伝子情報の再確認を行なうことができる。
【００１８】
なお上記説明では各素子をそれぞれ別個の収納部５に挿着した場合について示したが、小型のものは複数個まとめて１個の収納部５に収納しても良い。この場合、素子を収納しない腕輪部材２には収納部５がなくても良い。また上記説明ではパソコン入出力端子１７とデータ送受信装置２０の両方を設けた場合について説明したが何れか一方でも良い。またバッテリーは充電式に限らずボタン電池を用いても良いまた腕輪部材２とヒンジ３は他の形状のものでも良い。
【図面の簡単な説明】
【００１９】
【図１】本考案の実施の一形態による腕輪の斜視図である。
【図２】図１の腕輪の要部を拡大して示す断面図である。
【図３】腕輪内部の回路構成を示す回路図である。
【符号の説明】
【００２０】
１    腕輪                                                  
２    腕輪部材                                              
３    ヒンジ                                                
５    収納部                                                
６    カバー                                                
７    ねじ                                                  
８    留め金                                                
９    溝部                                                  
１０  軸                                                    
１１  ケーブル挿通孔                                        
１２  ケーブル                                              
１４  毛髪収納部                                            
１５  毛髪                                                  
１７  パソコン入出力端子                                    
１８  演算加工制御部装置                                    
１９  記憶部                                                
２０  データ送受信装置                                      
２１  アンテナ                                              
２２  音声端子                                              
２３  バッテリー          
２４  バッテリー充電端子  
２５  スイッチ            
２７  スピーカージャック  
２８  マイクロホンジャック  
３０  パソコン      
【手続補正２】
【補正対象書類名】実用新案登録請求の範囲
【補正対象項目名】全文
【補正方法】変更
【補正の内容】
【実用新案登録請求の範囲】
【請求項１】
複数個の腕輪部材とヒンジを交互に連結した腕輪において、前記腕輪部材にカバー付きの収納部を形成し、この収納部を形成した任意の腕輪部材を毛髪収納部とし、この毛髪収納部以外の他の収納部を形成した腕輪部材に、バッテリーと、パソコン入出力端子またはデータ送受信装置、演算加工制御部装置および記憶部を、それぞれ別個にまたは複数個まとめて収納してケーブルで接続し、個人の毛髪とデータを保存するようにしたことを特徴とする腕輪。
【請求項２】
請求項１の腕輪に、更に腕輪部材の収納部に音声端子を収納して、これを演算加工制御部装置に接続したことを特徴とする腕輪。
【請求項３】
請求項１の腕輪に、更に腕輪部材の収納部に、バッテリーに接続するバッテリー充電端子を設けたことを特徴とする腕輪。